(57)【要約】      （修正有）【課題】ＬＥＤランプの光源に使用されている青色発光ダイオードの周波数によるとされる健康障害を解決する機能性ＬＥＤランプを提供する。【解決手段】共鳴電磁波放射シート３の上に、ＬＥＤランプ１を密着させて置き当該シート３から放射される３２〜３８テラヘルツの共鳴電磁波５を、当該ＬＥＤランプ１に２〜１２時間照射する。当該共鳴電磁波放射シート３の下には２０℃〜９０℃の温度調節が可能なヒーター４が設けられていて、３２〜３８テラヘルツの共鳴電磁波５を当該ＬＥＤランプ１に効率良く照射できる。機能性ＬＥＤランプを点灯し、容器に入った水に、共鳴電磁波の乗った光を照射すると、光に乗っている共鳴電磁波で、当該水の水分子クラスターを構成する水素結合が共振励起され、水素結合が分離し、水分子クラスターが微細化されるとともに、水素イオンと電子が水中に放出される。【選択図】図１
0003212671.tif 000002
【実用新案登録請求の範囲】
【請求項１】
３２〜３８テラヘルツの共鳴電磁波を、２〜１２時間、２０℃〜９０℃の温度条件下で、ＬＥＤランプに照射することで、ＬＥＤランプ自体を当該共鳴電磁波の転写放射体とすることを特徴とする機能性ＬＥＤランプ。
【考案の詳細な説明】
【技術分野】
【０００１】本考案は、３２〜３８テラヘルツの共鳴電磁波を、外部に放射することを特徴とする機能性ＬＥＤランプに関するものである。
【背景技術】
【０００２】近年、節電や省エネを目的としてＬＥＤランプが開発されている。【０００３】また、植物の育成を目的とした青色ＬＥＤをベースにした各種有色のＬＥＤランプも開発されている。
【特許文献１】特開２０１０−１８４１９５
【特許文献２】特許５５２２３４３
【考案の概要】
【考案が解決しようとする課題】
【０００４】近年、節電や植物の育成を促進することを目的としたＬＥＤ照明装置が開発されている。しかし、青色発光ダイオードをベースにしたものがほとんどで、青色発光ダイオード特有の周波数による青色公害（ブルーポリューション）が問題になっている。【０００５】そのため長時間ＬＥＤ照明にさらされると、頭痛や神経障害が発生するという問題が多発している
【課題を解決するための手段】
【０００６】このような課題を解決するために、本考案者は、３２〜３８テラヘルツの共鳴電磁波を、２〜１２時間、２０℃〜９０℃の温度条件下で、ＬＥＤランプに照射することで、当該ＬＥＤランプ自体が当該共鳴電磁波の転写放射体となり、自らが当該共鳴電磁波の発射体となる光源となり、当該ＬＥＤランプから放射される光により、水が活性化されることを見出し、本考案をなすに至った。【０００７】すなわち、上記課題を解決するために本発明では、３２〜３８テラヘルツの共鳴電磁波を放射する物質と、ＬＥＤランプを近接させ、２０℃〜９０℃の温度条件下で、２〜１２時間放置し、当該共鳴電磁波の放射体から発射される電磁波を、共振作用により、当該ＬＥＤランプに転写し、当該ＬＥＤランプ自体を当該共鳴電磁波の放射体とする。【０００８】ＬＥＤランプ自体を共鳴電磁波の放射体とすることで、ランプから放射され青色ＬＥＤの周波数の光に、水を活性化できる３２〜３８テラヘルツの共鳴電磁波を載せることができ、青色ＬＥＤ特有の青色公害による健康被害を減少することができる。【０００９】また、当該ＬＥＤランプから放射される光に乗った３２〜３８テラヘルツの共鳴電磁波は、健康に良いばかりでなく、植物の育成も促進する。
【考案の効果】
【００１０】本考案によれば、効果が明確で、効果の持続性の高い３２〜３８テラヘルツの共鳴電磁波を放射するＬＥＤランプを低コストで、大量に提供できる。【００１１】また、本考案によるＬＥＤランプから照射される光には、約３０℃〜約６０℃の温度エネルギーに相当する３２〜３８テラヘルツの共鳴電磁波が乗っているため、人体や植物の水分の水素結合を共振励起し、当該水素結合を分離する。そして当該水素結合から放出された電子が高速で移動し、他の原子や分子と衝突することにより、衝突エネルギーが発生し、様々な健康効果や植物育成効果を発揮する。【００１２】また、当該共鳴電磁波は、当該ＬＥＤランプの光源のＬＥＤの電子の動きを円滑にするため、当該ＬＥＤランプの単位電力当たりの照度（ルーメン／Ｗ）が大きくなり、さらに節電効果を高めることができる。
【考案を実施するための形態】
【００１３】以下、本考案の実施形態について図面を参照しながら詳細に説明する。
図１は、本考案の機能性ＬＥＤランプの製造方法の正面図を示す。
図２は、本考案の機能性ＬＥＤランプの作用概念を示す。
【００１４】図１に示すように、共鳴電磁波放射シート３の上に、ＬＥＤランプ１を密着させて置き当該シート３から放射される３２〜３８テラヘルツの共鳴電磁波５を、当該ＬＥＤランプ１に２〜１２時間照射する。
【００１５】当該共鳴電磁波放射シート３の下には２０℃〜９０℃の温度調節が可能なヒーター４が設けられていて、３２〜３８テラヘルツの共鳴電磁波５を当該ＬＥＤランプ１に効率良く照射できる。
【００１６】図２に示すように、当該共鳴電磁波４を、２０℃〜９０℃の温度条件下で、２〜１２時間照射された機能性ＬＥＤランプ１１を点灯し、容器１３に入った水１４に、共鳴電磁波の乗った光１２を照射すると、光に乗っている共鳴電磁波で、当該水１４の水分子クラスター１５を構成する水素結合が共振励起され、水素結合が分離し、水分子クラスター１５が微細化されるとともに、水素イオン１６と電子１７が水中に放出される。
【００１７】図２のように、水素結合の分断により放出された水素イオン１６および電子１７は高速で動き、周辺の分子や原子に衝突し、衝突エネルギーを発生させ、当該機能性ＬＥＤの光を浴びるの人の身体全体の基礎体温を高め、血流を改善し、免疫力を向上させたり、植物や動物の成長促進に効果的となる。
【００１８】このように、機能性ＬＥＤランプ１１から放射される共鳴電磁波の乗った光１２は、光源である青色発光ダイオード特有の周波数による電磁波障害を軽減し、積極的に健康促進や動植物の成長促進に効果を発揮する。
【００１９】また当該機能性ランプから放射される３２〜３８テラヘルツの転写共鳴電磁波は、ＬＥＤ２自体の電子の動きを励起し、バンドギャップを超える電子の量や増やし、速度を高めることで単位電力当たりの照度を高めることができ、節電効果を発揮する。
【実施例】
【００２０】いろいろなテストを通して、機能性ＬＥＤランプについて  下記の効果が確認されている。
＊共鳴電磁波を照射したＬＥＤランプは、照射していないＬＥＤランプに比べて、単位使用電力当たりの照度が１５％程度増すことが確認された。
＊機能性ＬＥＤランプの点灯している室内に置いた生花が長持ちすることが確認された。
＊機能性ＬＥＤランプの点灯している室内は、他に比較して快適であるとの意見が多かった。
【産業上の利用可能な分野】
【００２１】本考案は、節電型照明器具としてばかりでなく、積極的に健康や動植物の成長に役立つ光源として様々な産業分野で利用できる。
【図面の簡単な説明】
【００２２】
【図１】は、本考案の機能性ＬＥＤランプの製造方法の正面図を示す。
【図２】は、本考案の機能性ＬＥＤランプの作用概念を示す。
【符号の説明】
【００２３】１    ＬＥＤランプ本体
２    ＬＥＤ
３    共鳴電磁波放射シート
４    ヒーター
５    共鳴電磁波
１１  機能性ＬＥＤランプ
１２  共鳴電磁波の乗った光
１３  容器
１４  水
１５  水分子クラスター
１６  水素イオン
１７  電子
【図１】
0003212671.tif 000003
【図２】
0003212671.tif 000004